(57)【要約】【課題】ジャム時にも用紙を円滑に取出すことができ、また付帯の機構部に毀損を生じさせない用紙搬送装置を提供する。【解決手段】駆駆動伝達機構Ｂ１より駆動力を得て回転駆動する搬送ローラ９と、該搬送ローラ９の周体に対して相互離反不能に押当する押当部材９ａとよりなり、上記搬送ローラ９と押当部材９ａとにより用紙Ｄをニップし且つ搬送ローラ９回転により用紙Ｄを搬送する用紙搬送装置であって、前記駆動伝達機構Ｂ１と搬送ローラの駆動軸との間に電磁クラッチ９ｄが介在され、電磁クラッチ９ｄがオンの時には、駆動伝達機構Ｂ１と搬送ローラ９との駆動伝達系が確立し、電磁クラッチ９ｄがオフの時には、搬送ローラ９がフリー回転可能となるよう構成されていることを特徴とする。【選択図】      図２
2005178995.tif 000002
【特許請求の範囲】
【請求項１】
駆駆動伝達機構より駆動力を得て回転駆動する搬送ローラと、該搬送ローラの周体に対して相互離反不能に押当する押当部材とよりなり、上記搬送ローラと押当部材とにより用紙をニップし且つ搬送ローラの回転により用紙を搬送する用紙搬送装置であって、
前記駆動伝達機構と搬送ローラの駆動軸との間に電磁クラッチが介在され、電磁クラッチがオンの時には、駆動伝達機構と搬送ローラとの駆動伝達系が確立し、電磁クラッチがオフの時には、搬送ローラがフリー回転可能となるよう構成されていることを特徴とする用紙搬送装置。
【請求項２】
前記搬送ローラの駆動軸には操作ノブが連接され、前記電磁クラッチがオフの時には、この操作ノブの操作により搬送ローラを回転し得るようにしたことを特徴とする請求項１記載の用紙搬送装置。
【請求項３】
前記搬送ローラの駆動軸と操作ノブとの間にはワンウェイ機構が介在され、前記電磁クラッチがオンとされ、駆動伝達機構が作動してもその回転動力は操作ノブには伝達されないようにしたことを特徴とする請求項２記載の用紙搬送装置。
【発明の詳細な説明】
【技術分野】
【０００１】
本発明は、ファクシミリ装置、複写機、プリンタ（これらの複合機も含む）等の画像形成装置において、原稿や記録紙を読取部や記録部に給送し或いは排出させる為の用紙搬送装置に関する。
【背景技術】
【０００２】
一般に、上記のような画像形成装置においては、原稿トレーや記録紙トレー（カセット）にセットされた原稿や記録紙（以下、これらを総称して用紙と言う。この場合、ＯＨＰシートも含む）を１枚ずつ分離して読取部や記録部に向けて給送し、且つ、排出トレーに排出する為の一連の用紙搬送路には、複数の用紙搬送装置が組込まれている。このような用紙搬送装置は、駆動伝達機構からの駆動力を得て軸回転する搬送ローラと、この搬送ローラの周体に押当されフリー回転可能なプレスローラとの対よりなり、前記用紙搬送路に沿って複数対配設され、用紙を両ローラでニップし、搬送ローラの回転作用により順次搬送するものである。特許文献１には、画像読取装置における自動原稿送り装置（ＡＤＦ）が開示され、このＡＤＦには上記のような用紙搬送装置が複数組み込まれた例が示されている。
【特許文献１】特開２００１−１３０７７０号公報
【発明の開示】
【発明が解決しようとする課題】
【０００３】
上記特許文献１に開示されたＡＤＦにおいては、用紙搬送路の途中で用紙ジャムが生じたときに、ジャム紙を速やかに取出せるよう、搬送ローラ若しくはプレスローラの一方を開閉可能なフレーム（カバー）に取付け、両ローラのニップ解除が可能とされている。しかし、装置のレイアウト構成上或いはコスト的観点から、両ローラが相互に離反不能（日常的なメンテナンスレベルにおいて）とせざるを得ない場合がある。このような離反不能なローラ対でニップされたまま用紙ジャムが生じた場合、用紙を強制的に引抜くか、駆動側の搬送ローラを手指で回転させて用紙を繰出すことによりジャム解除がなされる。
【０００４】
上記の離反不能なローラ対におけるジャム解除の場合、用紙を強制的に引抜こうとすると、用紙が破れたり、搬送ローラの表面を傷つけ或いは印刷インクで汚染したりすることがある。また、搬送ローラを手指で回転させようとすると、搬送ローラには駆動伝達機構が連接されているから、手指に対する負担が大きく、更には、駆動伝達機構を構成するギヤ等の歯欠けを生じさせることにもなる。
【０００５】
本発明は、上記のような実情に鑑みなされたものであり、ジャム時にも用紙を円滑に取出すことができ、また付帯の機構部に毀損を生じさせない用紙搬送装置を提供するものである。
【課題を解決するための手段】
【０００６】
本発明の用紙搬送装置は、駆駆動伝達機構より駆動力を得て回転駆動する搬送ローラと、該搬送ローラの周体に対して相互離反不能に押当する押当部材とよりなり、上記搬送ローラと押当部材とにより用紙をニップし且つ搬送ローラの回転により用紙を搬送する用紙搬送装置であって、前記駆動伝達機構と搬送ローラの駆動軸との間に電磁クラッチが介在され、電磁クラッチがオンの時には、駆動伝達機構と搬送ローラとの駆動伝達系が確立し、電磁クラッチがオフの時には、搬送ローラがフリー回転可能となるよう構成されていることを特徴とする。
【０００７】
請求項２の発明は、前記搬送ローラの駆動軸には操作ノブが連接され、前記電磁クラッチがオフの時には、この操作ノブの操作により搬送ローラを回転し得るようにしたことを特徴とし、請求項３の発明は、前記搬送ローラの駆動軸と操作ノブとの間にワンウェイ機構を介在させ、前記電磁クラッチがオンとされ、駆動伝達機構が作動してもその回転動力は操作ノブには伝達されないようにしたことを特徴とする。
【発明の効果】
【０００８】
本発明の用紙搬送装置によれば、上記搬送ローラと押当部材とによりニップされたまま用紙ジャムが発生しても、搬送ローラの駆動軸との間に介在する電磁クラッチをオフとすることにより、搬送ローラがフリー回転可能とされるから、手指によって何等負担なく用紙を取出すことができ、用紙が破れたり、搬送ローラの表面を傷つけ或いは汚染させたりすることがない。また、駆動伝達機構との伝達系が遮断されることになるから、用紙取出し時の負荷がギヤ等の機構部にかからず、その毀損等が生じる懸念もない。
【発明を実施するための最良の形態】
【０００９】
以下に本発明の実施の形態について図面を参照して説明する。図１はファクシミリ装置や複写機、或いはファクシミリと複写の両機能（プリンタ機能も含む）を備えた所謂複合機におけるＡＤＦ１の要部の縦断面図を示すものである。図例のＡＤＦ１は、シートものの原稿（用紙）Ｄを１枚ずつ搬送しながら、その両面の画像を読取って、それぞれデジタル信号として出力するための両面原稿読取装置として構成されている。尚、図１は、紙面奥側がＡＤＦ１の正面側（フロント側）、紙面手前側が背面側（リヤ側）であることを示している。
【実施例】
【００１０】
図例のＡＤＦ１の原稿供給口部２ａには、原稿トレー２ｂが該原稿供給口部２ａに向かって下方に傾斜するよう着脱自在に装着され、この原稿供給口部２ａと原稿トレー２ｂとにより原稿載置部２が構成されている。原稿供給口部２ａ上には、原稿載置部２に上向きページ順に堆積された原稿Ｄを上層部より繰出すピックアップローラ３が配設され、このピックアップローラ３に引き続き、繰出された原稿を１枚ずつ分離して給送する原稿分離装置４が装備されている。該原稿分離装置４は、分離ローラ４ａとこの分離ローラ４ａの周体に弾接するよう付勢された分離パッド４ｂとからなる。ピックアップローラ３で繰出された原稿は、分離ローラ４ａと分離パッド４ｂとの間に導入され、分離ローラ４ａの回転に伴う両者の紙に対する摩擦係数の差により１枚ずつ分離され、下流側に給送される。圧縮スプリング４ｃは、分離パッド４ｂを分離ローラ４ａの周体に弾接させるべく機能するものである。尚、分離給送手段４としては、分離ローラとリタードローラからなるものも対象とされることは言うまでもない。
【００１１】
上記原稿分離装置４により１枚ずつ分離された原稿Ｄは、Ｕターン状に形成された原稿搬送路５に沿って順次配設されたレジストローラ６、第１搬送ローラ７及び第２搬送ローラ８によりレジスト搬送されて第１の読取ポイントＰ１に至り、更に第３搬送ローラ９により第２の読取ポイントＰ２に給送され、排出ローラ１０により排出トレー１１に排出される。第１の読取ポイントＰ１にはプラテン１２が配置され、原稿が該プラテン１２上を通過する際、このプラテン１２の下部に待機された読取走査装置１３により原稿表面の画情報が逐次読み取られ、上記のようにデジタル信号として出力される。
【００１２】
この読取走査装置１３は、蛍光灯或いは冷陰極管からなる光源１３ａと、複数のミラー１３ｂ…と、集光レンズ１３ｃと、ＣＣＤ（電荷結合素子）１３ｄとよりなり、これらがユニット化され、キャリッジ１３ｅ上に搭載されている。光源１３ａからの照射光は、プラテン１２上の読取ポイントＰ１を通過する原稿により反射され、その後４個のミラー１３ｂ…で反射を繰り返し、集光レンズ１３ｃで集光され、ＣＣＤ１３ｄに入光する（１点鎖線の光路参照）。ＣＣＤ１３ｄでは、原稿の表面上に描かれた画情報が電気信号に変換され、デジタル信号として出力される。
【００１３】
図例の読取走査装置１３は、移動式読取走査装置として、フラットベッドスキャナ（ＦＢＳ）にも兼用するよう構成されている。即ち、図示を一部省略したが、図１における破断部分の左側にはＦＢＳ部１４が連成されている。上記キャリッジ１３ｅは、図例ではＡＤＦ原稿の読取位置に待機・静止した状態を示すが、ＦＢＳ原稿の読取時には、ＦＢＳ部１４内に移動し、ＦＢＳ部１４内をプラテンガラス１５の下面に沿って往復移動し、この往復移動の間、プラテンガラス１５上に載置された原稿の画情報が、読取走査装置１３によって上記同様に読み取られる。ＡＤＦ１、原稿トレー２ｂ及び排出トレー１１は一体化されてプラテンカバーを構成し、紙面手前側をヒンジ部（不図示）として上下に開閉可能とされている。従って、ＦＢＳ部１４にて原稿読み取りを行う際は、このプラテンカバーを開け、露見したプラテンガラス１５上に原稿を載置することによりなされる。
【００１４】
上記のように、第１の読取ポイントＰ１で表面画像が読み取られた原稿は、更に、第３搬送ローラ９により搬送されて第２の読取ポイントＰ２に至るが、この第２の読取ポイントＰ２は、搬送原稿の裏面側に配置された密着型イメージセンサ１６と、これに接触的に配置されたプラテンローラ１７との接触点とされる。すなわち、密着型イメージセンサ１６とプラテンローラ１７との間に導入される原稿は、プラテンローラ１７の回転により密着型イメージセンサ１６の読取面を摺接しながら給送され、この間原稿の裏面画像が密着型イメージセンサ１６により読取られ、電気信号に変換されてデジタル信号として出力される。
【００１５】
上記分離ローラ（ピックアップローラ３を含む）４ａ、レジストローラ６及び第１搬送ローラ７は、第１搬送系Ａを構成し、第２搬送ローラ８、第３搬送ローラ９、プラテンローラ１７及び排出ローラ１０は第２搬送系Ｂを構成し、これら２系統に類別された搬送系Ａ、Ｂは、１個のモーター（図２、図３参照）２２を駆動源とし、後記する２系統の駆動伝達機構Ａ１、Ｂ１を介し、個別に駆動伝達がなされるよう構成されている。
【００１６】
ピックアップローラ３は、分離ローラ４ａの駆動軸４ｄから駆動伝達されるよう構成される。これを略述すれば、該駆動軸４ｄにはトルクリミッタ（不図示）を介しフレーム３ａが上下揺動可能に取付けられ、このフレーム３ａの先側には支軸３ｂが軸回転可能に支持されている。上記駆動軸４ｄに取付けられたプーリー４ｅと、支軸３ｂに取付けられたプーリー３ｃとの間にベルト３ｄが張設されており、駆動軸４ｄの回転がプーリー４ｅ、ベルト３ｄ及びプーリー３ｃを介して支軸３ｂに伝達され、更にこの支軸３ｂの回転はワンウェイクラッチ（不図示）を介してピックアップローラ３に伝達されるようになされている。
【００１７】
斯く構成されたピックアップローラ３は、待機状態ではフレーム３ａをして上方に位置し、上記駆動軸４ｄが正回転（Ｘ方向）すると、上記トルクリミッタの作用によりフレーム３ａが駆動軸４ｄを支点として下方に揺動する。この揺動はピックアップローラ３が原稿載置部２上に堆積された原稿Ｄの最上層部に押当した時に停止するが、駆動軸４ｄの引続く回転により、上記伝達系（プーリー４ｅ、ベルト３ｄ及びプーリー３ｃ）を介しピックアップローラ３が回転する。このように、駆動軸４ｄが正回転している間、ピックアップローラ３は堆積原稿Ｄの最上層部に押当されながら回転するので、原稿Ｄは最上層部より逐次繰出されて行く。そして、駆動軸４ｄが一旦停止し逆回転（反Ｘ方向）すると、フレーム３ａがトルクリミッタの作用により上方に揺動し、その後の駆動軸４ｄの停止により、待機状態に静止保持される。
【００１８】
分離ローラ４ａは不図示のワンウェイクラッチを介し駆動軸４ｄから駆動伝達される。従って、駆動軸４ｄの正回転により、上記のようにピックアップローラ３から原稿Ｄが繰出され、繰出された原稿は分離ローラ４ａと分離パッド４ｂとの間に導入され、前記のように１枚ずつ分離されて下流側に給送される。分離ローラ４ａから給送された原稿Ｄは、レジストローラ６によりレジストされて更に下流側に搬送されるが、このレジストローラ６以降の各ローラ７、８、９、１７、１０の周速は、分離ローラ４ａ及びピックアップローラ３の周速より大とされ、分離ローラ４ａとレジストローラ６との間で原稿のページ間隔を確保するようになされている。従って、分離ローラ４ａから給送された原稿Ｄの先端がレジストローラ６に差し掛かるとその周速度差により、原稿に搬送負荷（引張力）が掛かるが、分離ローラ４ａ及びピックアップローラ３には上述のように不図示のワンウェイクラッチが組み込まれており、これにより両ローラ４ａ、３が空回転し、上記搬送負荷が緩和される。
【００１９】
レジストローラ６、第１〜第３搬送ローラ７、８、９及び排出ローラ１０には、夫々プレッシャーローラ６ａ、７ａ、８ａ、９ａ及び１０ａが対設され、原稿はこれらローラにニップされて搬送される。上記分離ローラ４ａとこれに連関するピックアップローラ３及びプレッシャーローラ６ａ、７ａは、ヒンジピン１８ａを支点として上下に開閉可能に枢着されたジャムアクセスカバー１８の内側に取付けられている。従って、第２搬送ローラ８に至るまでの原稿搬送路５で原稿ジャムが発生した場合は、このジャムアクセスカバー１８を開けることにより、分離パッド４ｂ、レジストローラ６、第１搬送ローラ７との間が開放されるので、ジャム原稿の取出しが容易に行える。
【００２０】
また、第２搬送ローラ８、第３搬送ローラ９、これらと対をなすプレッシャーローラ８ａ、９ａ、プラテンローラ１７及び排出ローラ１０は、ＡＤＦ１を含む前記プラテンカバーの機枠をなす機体フレーム１９及びこれに固定された筒状の中間インナーガイドフレーム２０に取付けられている。更に、密着型イメージセンサ１６及びプレッシャーローラ１０ａは、前記レジストローラ６の駆動軸６ｂを支点として上下に開閉可能に枢着された中間フレーム２１に取付けられている。第２搬送ローラ８及び第３搬送ローラ９間でのジャム原稿のジャム解除については後記するが、第３搬送ローラ９より下流側でのジャム時には、上記ジャムアクセスカバー１８を開けた上で中間フレーム２１を開ければ、密着型イメージセンサ１６とプラテンローラ１７との間、及び排出ローラ１０とプレッシャーローラ１０ａとのニップ関係が開放されるから、この部分でのジャム原稿の取出しが容易に行える。
【００２１】
図２及び図３は上記各ローラの駆動伝達機構を示し、図２はその正面図（ＡＤＦ１全体から見れば背面図）であり、図３はその平面図である。上記機体フレーム１９には、駆動伝達機構用の板金製本体フレーム（リヤフレーム）２３が固設され、この本体フレーム２３に、上記レジストローラ６、第１搬送ローラ７、第２搬送ローラ９、プラテンローラ１７及び排出ローラ１０の駆動軸６ｂ、７ｂ、９ｂ、１７ａ及び１０ｂの一端部が軸支されている。また、板金製のモーターブラケット２４が、本体フレーム２３に固設されたナット支柱２４ａにビス２４ｂを螺合することにより、本体フレーム２３に対し間隔を隔て固定されている。更に、該モーターブラケット２４には、上記各ローラの共通の駆動源であるモーター２２が取付けられている。
【００２２】
上記各ローラの駆動軸６ｂ、７ｂ、９ｂ、１７ａ及び１０ｂの一端部にはギヤ６ｃ、７ｃ、９ｃ、１７ｂ及び１０ｃが取付けられ、これらギヤに対してモーター２２の出力ギヤ（出力軸）２２ａから、アイドラギヤ或いはベルト等を介して駆動伝達される。即ち、上記出力ギヤ２２ａに２段の第１アイドラギヤ２５の大径ギヤが噛合し、この第１アイドラギヤ２５の小径ギヤに第２アイドラギヤ２６が噛合する。更に、第２アイドラギヤ２６に第３アイドラギヤ２７が噛合し、これらにより分離ローラ４ａ専用の駆動伝達系が確立される。即ち、本体フレーム２３の上辺部に切欠２３ａが形成されており、前記ジャムアクセスカバー１８を閉めると、分離ローラ４ａの駆動軸４ｄがこの切欠２３ａに嵌り込んで保持され、該駆動軸４ｄの一端に取付けられたギヤ４ｆが第３アイドラギヤ２７に噛合して、モーター２２の出力ギヤ２２ａから、第１アイドラギヤ２５、第２アイドラギヤ２６及び第３アイドラギヤ２７を介して分離ローラ４ａへの回転駆動伝達がなされる。
【００２３】
また、上記第１アイドラギヤ２５には、第４アイドラギヤ２８が噛合し、更に、この第４アイドラギヤ２８と第５アイドラギヤ２９間に第１タイミングベルト（歯付ベルト、以下同じ）３０が張設され、この第５アイドラギヤ２９に上記レジストローラ６のギヤ６ｃ及び第１搬送ローラ７のギヤ７ｃが噛合する。これによりレジストローラ６及び第１搬送ローラ７の駆動伝達系が確立され、モーター２２の出力ギヤ２２ａから、レジストローラ６及び第１搬送ローラ７に回転動力が伝達される。
【００２４】
上記出力ギヤ２２ａには、更に別の第６アイドラギヤ３１が噛合し、この第６アイドラギヤ３１と第３搬送ローラ９のギヤ９ｃ間に第２タイミングベルト３２が張設されており、これにより、出力ギヤ２２ａから第６アイドラギヤ３１及び第２タイミングベルト３２を介し第３搬送ローラ９に回転動力が伝達される。また、第３搬送ローラ９の駆動軸９ｂからは、後記するように、フロントフレーム３６側に設けられたギヤ９ｅ及び第４タイミングベルト３７を介し、第２搬送ローラ８のギヤ８ｃに駆動伝達される（図３、図４参照）。更に、第６アイドラギヤ３１と第７アイドラギヤ３３には第３タイミングベルト３４が張設され、該第７アイドラギヤ３３には、プラテンローラ１７のギヤ１７ａ及び排出ローラ１０のギヤ１０ｃが噛合する。これにより、出力ギヤ２２ａから第６アイドラギヤ３１、第３タイミングベルト３４及び第７アイドラギヤ３３を介しプラテンローラ１７及び排出ローラ１０に回転動力が伝達される。
【００２５】
上記のように、第１アイドラギヤ２５から第２アイドラギヤ２６を経て第３アイドラギヤ２７に至る駆動伝達系、及び、第１アイドラギヤ２５から第４アイドラギヤ２８、第１タイミングベルト３０、第５アイドラギヤ２９を経てギヤ６ｃ或いはギヤ７ｃに至る駆動伝達系は、分離ローラ（ピックアップローラ３を含む）４ａ、レジストローラ６及び第１搬送ローラ７からなる第１搬送系Ａを一連的に駆動する為の第１駆動伝達手系Ａ１を構成する。また、第６アイドラギヤ３１から第２タイミングベルト３２を経てギヤ９ｃ更にはギヤ８ｃに至る駆動伝達系、及び、第６アイドラギヤ３１から第３タイミングベルト３４を経てギヤ１７ａ或いはギヤ１０ｃに至る駆動伝達系は、第２搬送ローラ８、第３搬送ローラ９、プラテンローラ１７及び排出ローラ１０からなる第１搬送系Ｂを一連的に駆動する為の第２駆動伝達系Ｂ１を構成する。従って、第１駆動伝達系Ａ１と第２駆動伝達系Ｂ１とは、モーター２２の出力軸２２ａから、振り分け状に駆動伝達されるよう構成されているから、第１搬送系Ａによる原稿搬送時の搬送負荷変動やギヤのバックラッシュに基づく振動等は、駆動伝達系Ａ１、Ｂ１を介して第２搬送系Ｂに伝達されることがなく、第２搬送系Ｂを構成する各ローラは、このような第１搬送系Ａの搬送負荷変動等の影響を受けずに正常な回転が維持され、各読取部における読取画像の歪発生が著しく減退する。
【００２６】
上記第１〜第７アイドラギヤ２５、２６、２７、２８、２９、３１、３３の多くは、多段ギヤで構成され、各ギヤの径（歯数）は、各ローラが所定の周速度になるよう適宜設定される。また、いずれのアイドラギヤも、本体フレーム２３にカシメ等により植設固定されたギヤスタッドに軸回転可能に装着され、一部のギヤスタッドは、その他端部がモーターブラケット２４に保持されている。更に、分離ローラ４ａへの駆動伝達系における第２アイドラギヤ２６、レジストローラ６のギヤ６ｃ及び第３搬送ローラ９のギヤ９ｃにはそれぞれ電磁クラッチ２６ａ、６ｄ及び９ｄが付設され、分離ローラ４ａ、レジストローラ６及び第３搬送ローラ９が個々にオン・オフ制御されるようになされている。尚、図２では電磁クラッチ２６ａ、６ｄの図示を省略している。
【００２７】
図２において、３５ａ、３５ｂ、３５ｃはテンションギヤであり、夫々第１、第２、第３タイミングベルト３０、３２、３４の張り調整機能を奏するものである。これらテンションギヤ３５ａ、３５ｂ、３５ｃは、レジストローラ６の駆動軸６ｂを支点として垂直面域内で揺動可能に取付けられたテンションプレート３５に装備されている。このテンションプレート３５は、引張スプリング３５ｄにより、常時駆動軸６ｂを中心に反時計方向に弾力付勢されており、これにより各テンションギヤ３５ａ、３５ｂ、３５ｃは、夫々第１、第２、第３タイミングベルト３０、３２、３４に作用し、これらを常時緊張状態に維持する。
【００２８】
次に、本発明の用紙搬送装置の一例としての第３搬送ローラ９及びプレスローラ（押当部材）９ａについて説明する。第３搬送ローラ９は、前記中間インナーガイドフレーム２０に取り付けられ、一方、プレスローラ９ａは機体フレーム１９に対して、フリー回転可能且つ不図示の板ばね等の弾性部材により第３搬送ローラ９の周体に弾接するよう取付けられている。第３搬送ローラ９は、前記駆動伝達機構Ｂ１から駆動力を得て図１の矢視Ｙ方向に軸回転可能とされる。図例のＡＤＦ１においては、インナーガイドフレーム２０は、他の機構部等とのレイアウト上の制約から、機体フレーム１９に対して固定関係とせざるを得ず、従って、第３搬送ローラ９とプレスローラ９ａとは、通常のユーザーサイドでのメンテナンスレベルでは相互に離反不能とされている。
【００２９】
而して、第３搬送ローラ９の駆動軸９ｂの一端には、前記の通り電磁クラッチ９ｄを介してギヤ９ｃが取付けられ、この電磁クラッチ９ｄがオンの時には、第２タイミングベルト３２を介して伝達される回転動力によりギヤ９ｃ及び第３搬送ローラ９が軸回転する。一方、電磁クラッチ９ｄがオフの時には、駆動軸９ｂとギヤ９ｃとの駆動伝達系が遮断されるから、第３搬送ローラ９がフリー回転可能とされる。
【００３０】
第２搬送ローラ８は、第３搬送ローラ９から駆動伝達されるが、これについて説明する。この伝達機構は、第３搬送ローラ９の駆動軸９ｂの他端側（ＡＤＦ１のフロント側）に構成される。すなわち、図４は、ＡＤＦ１のフロント側から見た駆動機構の正面図であり、第３搬送ローラ９の駆動軸９ｂは、ＡＤＦ１を横断してフロント側に及び、機体フレーム１９に取付けられたフロントフレーム３６にそのフロント側端部が回転可能に保持されている。また、第２搬送ローラ８の駆動軸８ｂも、そのフロント側端部が、フロントフレーム３６に保持されている。そして、両駆動軸９ｂ、８ｂのフロント側端部には、夫々ギヤ９ｅ及び８ｃが取付けられ、両ギヤ９ｅ、８ｃには第４タイミングベルト３７が張設され、これにより、第２搬送ローラ８への駆動伝達機構が確立される。図４では、テンションプーリー３８が、引張スプリング３８ａの弾力付勢力により、上記第４タイミングベルト３７に作用して、該第４タイミングベルト３７を常時緊張状態に維持するよう構成されている。
【００３１】
上記構成において、電磁クラッチ９ｄがオンとされ、第３搬送ローラ９が上記駆動伝達系Ｂ１を介して回転駆動すると、ギヤ９ｅ、第４タイミングベルト３７及びギヤ８ｃを介した駆動伝達により、第２搬送ローラ８が同時に回転駆動する。また、上記電磁クラッチ９ｄがオフの時には、第３搬送ローラ９と共に第２搬送ローラ８もフリー回転可能な状態となる。電磁クラッチ９ｄは、少なくともジャム検出信号によりオフになるよう設定しておけばよく、こうすれば、ジャム発生時には、第２搬送ローラ８及び第３搬送ローラ９がフリー回転可能な状態となっているから、ジャムアクセスカバー１８を開き、必要によっては中間フレーム２１を開け、露見するジャム原稿の端部を引抜けば、抵抗が殆どない状態で原稿を取出すことができる。従って、原稿が破れたり、第２搬送ローラ８及び第３搬送ローラ９の周面を傷つけ或いは汚染させたりすることがない。また、駆動伝達系Ｂ１との伝達系も遮断されているから、駆動伝達系Ｂ１を構成するギヤ等の歯欠けを惹起する懸念もない、
【００３２】
図４に示す例では、ジャム解除用操作ノブ３９が、その一部が、前記ジャムアクセスカバー１８を開放すると装置上面に露出するよう設けられている。第３搬送ローラ９の駆動軸９ｂには大径のギヤ９ｆが取付けられ、このギヤ９ｆと操作ノブ３９のギヤ３９ａとの間に２段のアイドラギヤ４０が噛合介在する。また、アイドラギヤ４０にはラチェット機構等のワンウェイクラッチ手段（ワンウェイ機構）４０ａが組み込まれ、操作ノブ３９を矢視方向に回転操作した時には、このワンウェイクラッチ手段４０ａのロック作用により、操作ノブ３９の回転がアイドラギヤ４０及びギヤ９ｆを介して第３搬送ローラ９に伝達され、更にこの第３搬送ローラ９の回転が第２搬送ローラ８にも伝達される。
【００３３】
従って、第２搬送ローラ８及び第３搬送ローラ９においてニップされた状態で原稿ジャムが発生した時に、ジャムアクセスカバー１８を開けこの操作ノブ３９の露出部を矢視方向に回転操作し、第２搬送ローラ８及び第３搬送ローラ９を回転させることにより、原稿が繰出され、ジャム原稿を簡単に取り出すことができる。ジャム発生時には、上記電磁クラッチ９ｄがオフとされ、第２搬送ローラ８及び第３搬送ローラ９がフリー回転可能な状態とされているから、この操作ノブ３９の回転操作は、抵抗が少なく小さな力でなされる。電磁クラッチ９ｄがオンとされ、通常の原稿搬送の為に第３搬送ローラ９が回転駆動すると、上記ワンウェイクラッチ手段４０ａがアンロック状態となるから、第３搬送ローラ９の回転が操作ノブ３９に伝達されることがない。
【００３４】
図１において、ピックアップローラ３及び分離ローラ４ａの間の原稿載置部２上に出没可能な用紙先端揃え用シャッタ４１が設置されている。このシャッタ４１は、待機状態の時には、原稿載置部２上に突出し、原稿トレー２ｂ上にセットされる原稿Ｄの先端を揃えるよう機能するものであり、レジストローラ６の回転に連動して上下揺動するリンク機構（一部図示省略）４２に設けられ、このリンク機構４２の上下揺動により原稿載置部２上に出没するよう構成されている。このように、レジストローラ６に機械的に連動させて、シャッタ４１を原稿載置部２上に出没させるようにしているから、ソレノイド等の高価な電気部品を用いることなくシャッタ４１の動作機構を簡易に構成することができる。
【００３５】
尚、上記実施形態では、原稿搬送系における原稿搬送装置を例に採って説明したが、記録用紙の搬送系にも本発明が適用可能であることは言うまでもない。
【図面の簡単な説明】
【００３６】
【図１】ＡＤＦによる画像読取装置の一例を示す縦断面図である。
【図２】各ローラの駆動伝達機構を示す正面図である。
【図３】同平面図である。
【図４】同一連の駆動伝達機構の一部を示す正面図である。
【符号の説明】
【００３７】
１      ＡＤＦ
９      第３搬送ローラ（搬送ローラ）
９ａ    プレスローラ（押当部材）
９ｂ    駆動軸
９ｄ    電磁クラッチ
３９    操作ノブ
４０ａ  ワンウェイクラッチ手段（ワンウェイ機構）
Ｂ１    第２駆動伝達系（駆動伝達機構）
Ｄ      原稿（用紙）
【図１】
2005178995.tif 000003
【図２】
2005178995.tif 000004
【図３】
2005178995.tif 000005
【図４】
2005178995.tif 000006